(57)【特許請求の範囲】
【請求項１】
軸筒内に、異なる筆記色を有する複数の芯軸を収容するとともに、各芯軸に設けた操作部を、軸筒から外部に露出させ、この操作部によって、いずれかの芯軸を選択して使用するようにした筆記具において、前記操作部に凸部または凹部を設け、各芯軸の操作部における前記凸部または凹部の形状、数または位置を、互いに異なるものとすることによって、各芯軸の操作部の触感を、互いに異なるものとしたことを特徴とする筆記具。
【請求項２】
各芯軸の操作部の硬度を、互いに異なるものとしたことを特徴とする請求項１記載の筆記具。
【請求項３】
筆記具を、ボールペンまたはシャープペンシルとしたことを特徴とする請求項１または２に記載の筆記具。
【請求項４】
請求項１記載の筆記具の複数個を一組とするとともに、各筆記具の操作部に、各筆記具毎に互いに異なる触感の識別子を設けたことを特徴とする筆記具の組合せ。
【発明の詳細な説明】
【０００１】
【発明の属する技術分野】
本発明は、異なる筆記色を有する複数の芯軸を有するボールペンまたはシャープペンシルなどの筆記具に関する。
【０００２】
【従来の技術】
異なる筆記色、たとえば黒と赤の２色ボールペン、さらに、これに青その他、適宜の色を加えた多色ボールペン、またはボールペンとシャープペンシルを一体とした筆記具が広く用いられている。
複数の異なる筆記色から、任意の筆記色を選択する場合、各筆記色に係る操作部によって選択される。しかし、操作部は、いずれの筆記色についても同じ形状であるため、筆記色の選択は、専ら目視の確認によってのみ行われていた。そのため視力の不自由な人には使用することができず、また一般の人にとっても、薄暗い場所でメモ書きなどの筆記を行う場合、筆記色の選択が困難であった。
【０００３】
【発明が解決しようとする課題】
前記現状に鑑み、本発明は、認知判断の向上化を図り、一般の人にとっても薄暗い場所などにおける識別の誤ちの防止を図るとともに、視力が不自由な人でも、容易に筆記色の選択をすることができるようにした、ボールペンやシャープペンシルなどの筆記具を提供することを目的とする。
【０００４】
【課題を解決するための手段】
本発明によると、上記課題は、次のようにして解決される。
(１)  軸筒内に、異なる筆記色を有する複数の芯軸を収容するとともに、各芯軸に設けた操作部を、軸筒から外部に露出させ、この操作部によって、いずれかの芯軸を選択して使用するようにした筆記具において、前記操作部に凸部または凹部を設け、各芯軸の操作部における前記凸部または凹部の形状、数または位置を、互いに異なるものとすることによって、各芯軸の操作部の触感を、互いに異なるものとする。
【０００５】
(２)  上記(１)項において、各芯軸の操作部の硬度を、互いに異なるものとする。
【０００６】
(３)  上記(１)項または(２)項において、筆記具を、ボールペンまたはシャープペンシルとする。
【０００７】
(４)  上記(１)項記載の筆記具の複数個を一組とするとともに、各筆記具の操作部に、各筆記具毎に互いに異なる触感の識別子を設ける。
【０００８】
【発明の実施の形態】
図１は、本発明を３色ボールペンに適用した実施例を示す右側面図、図２は、図１におけるII−II線断面図、図３は、平面図である。
ボールペン(１)は、基本的に前端が開口(２)され、後部にクリップ(３)が設けられた軸筒(４)と、この軸筒(４)内に収容された３本の芯軸(５)とより構成されている。
【０００９】
芯軸(５)は、インクを貯留する管状のインク貯留部(６)と、その前端、後端にそれぞれ取付けられたチップ(７)、操作部取付片(８)とよりなり、操作部取付片(８)の後部側面には、操作部(９)が設けられている。
【００１０】
３本の芯軸(５)におけるインク貯留部(６)には、異なる筆記色、たとえば黒、赤、青のインクが、それぞれ貯留されている。
チップ(７)の前端には、紙面等にインクを転写するためのボール(10)が、そのボール(10)の前端を露出した状態で抱持されている。
【００１１】
前記操作部(９)は、軸筒(４)の後部側面に設けられた軸線方向のスライド孔(11)から外部に露出されている。異なる筆記色のインクが貯留された３本の芯軸(５)にそれぞれ設けられた操作部(９)により、所望する筆記色の芯軸(５)を選択して、操作部(９)を前方にスライドさせると、選択された芯軸(５)のチップ(７)の前端が、軸筒(４)の開口(２)から外部に露出して筆記可能状態となる。
【００１２】
筆記終了後は、前記選択がなされなかった、他のいずれかの筆記色の芯軸(５)に係る操作部(９)を、前方にわずかにスライドさせるか、またはクリップ(３)を軸筒(４)の中心方向に押動することにより、前記選択されて外部に露出していたチップ(７)は、図示を省略したスプリング等の作用により、自動的に軸筒(４)内に収容される。
【００１３】
このように、操作部(９)等の操作によって、選択した筆記色に係る芯軸(５)のチップ(７)の前端を、軸筒(４)の開口(２)から外内部へ出入れする、いわゆるボールペン等における芯軸(５)の繰り出し機構は、常用されている周知の機構である。
本明細書においては、冗長を避けるため、前記繰り出し機構についての説明は省略するが、これら周知の繰り出し機構を、任意に用いることができる。
【００１４】
本発明は、筆記色の異なる３本の芯軸(５)に係る操作部(９)の触感を、互いに異ならせてあることが特徴である。
触感を互いに異ならせる具体的手段としては、操作部の外形や硬度を、互いに異ならせる形態があげられる。
【００１５】
これらのうち外形を異ならせる代表的手段としては、操作部(９)の表面に凸部または凹部を設け、各芯軸(５)の操作部(９)における前記凸部または凹部の形状、数、位置のいずれかを異ならせた形態があげられる。
【００１６】
以下、これらについて具体的に説明する。
図４は、図１〜図３に示したボールペン(１)における３本の各芯軸(５)に設けられた操作部(９)を取り外して示した斜視図である。各操作部(9a)(9b)(9c)は、軸筒(４)の軸線方向に長い小板片状をなし、後部は内側向きに湾曲している。
【００１７】
操作部(９)の裏面(12)には、前後方向に２個の取付用突起(13)が設けられ、この取付用突起(13)を、芯軸(５)における操作部取付片(８)（図２参照）の嵌合孔(14)に嵌入することによって、操作部(９)が芯軸(５)に取付けられるようになっている。３個の操作部(９)のそれぞれの表面(15)には、第１の操作部(9a)には凸部、すなわちここでは、側面視が三角状の突起(16)が１個、第２の操作部(9b)には同形の突起(17)が前後方向に２個、第３の操作部(9c)には、側面視が台形状の突起(18)が１個設けられている。
【００１８】
このように、筆記色の異なる各芯軸(５)の操作部(9a)(9b)(9c)の突起(16)(17)(18)の数または形状を互いに異ならせることによって、薄暗い場所や視力が不自由な人でも、操作部(9a)(9b)(9c)を手の指、たとえば親指を用いて操作するときの触感の相異によって、所望の筆記色を容易に選択して、使用に供することができる。
【００１９】
図５、図６は、別の実施形態を示し、図４に対応する図である。
本実施形態においては、図５に示す操作部(19a)(19b)(19c)を有するボールペンＡと、図６に示す操作部(20a)(20b)(20c)を有するボールペンＢとを１組としてある。
【００２０】
ボールペンＢは、ボールペンＡにおける３種類の筆記色とは異なる種類の筆記色を有し、両者で６種類の筆記色を使い分けることができるようになっている。
【００２１】
ボールペンＡ、Ｂの操作部(19a)(19b)(19c)、(20a)(20b)(20c)には、図４に示した実施形態における場合と同様の突起(21)(22)(23)、(24)(25)(26)が、それぞれ設けられている。
【００２２】
ボールペンＡ、Ｂの操作部(19a)(19b)(19c)、(20a)(20b)(20c)には、さらにボールペンＡとＢのいずれであるかを示すための互いに異なる触感の識別子(27)(28)が設けられている。
【００２３】
すなわち、ボールペンＡの各操作部(19a)(19b)(19c)には、その湾曲部(29)の表面に１個のペン種識別突起(30)が設けられ、ボールペンＢの各操作部(20a)(20b)(20c)には、その湾曲部(31)の表面に２個のペン種識別突起(32)が設けられている。
使用者は、前記ペン種識別突起(30)(32)の触感の相異によって、容易にボールペンＡとＢを識別することができる。
【００２４】
一般に、各ボールペン毎に筆記色を異ならせた、複数たとえば３本以上のボールペンを一組とし、その組に属する各ボールペンの操作部の触感を、互いに異ならせることによって、図５、図６に示した実施形態と同様に、複数のボールペンに亘る多くの筆記色の中から、所望する筆記色を容易に選択して使用に供することができる。
【００２５】
図７〜図１２は、本発明の他の実施形態を示し、図４に対応する図である。
図７に示す実施形態においては、各操作部(33a)(33b)(33c)の後部に設けられた突起(34)(35)(36)の形状を異ならせることによって、触感を互いに異なるものとしてある。
【００２６】
図８に示す実施形態においては、各操作部(37a)(37b)(37c)に設けられた突起(38)(39)(40)の位置を異ならせることによって、触感を互いに異なるものとしてある。
【００２７】
図９に示す実施形態においては、各操作部(41a)(41b)(41c)に設けられた突起(42)(43)(44)の形状を異ならせることによって、触感を互いに異なるものとしてある。
【００２８】
図１０に示す実施形態においては、各操作部(45a)(45b)(45c)に設けられた突起(46)(47)(48)の形状、位置、個数を異ならせることによって、触感を互いに異なるものとしてある。
【００２９】
図１１、図１２に示す実施形態においては、各操作部(49a)(49b)(49c)、(53a)(53b)(53c)に設けられた突起(50)(51)(52)、(54)(55)(56)の形状を異ならせることによって、触感を互いに異なるものとしてある。
【００３０】
以上説明した実施形態以外に、たとえば図４〜図１２の異なる図番において示された突起を適宜、組合せて、互いに異なる触感を有する一組の操作部としてもよい。
さらに、形状、数、位置等は同じ突起であっても、硬度を異ならせることによって、触感を互いに異なるものとしてもよい。
【００３１】
【発明の効果】
本発明によると、次のような効果を奏する。
(１)  請求項１記載の発明によれば、異なる筆記色を有する芯軸の操作部に凸部または凹部を設け、各芯軸の操作部における前記凸部または凹部の形状、数または位置を、互いに異なるものとすることによって、各芯軸の操作部の触感を互いに異ならせてあるため、薄暗い場所や視力が不自由な人でも、手の指により、前記触感に基づいて所望とする筆記色を容易に選択して、使用に供することができる。
【００３２】
(２)  請求項２記載の発明によれば、各芯軸の操作部に設けた凸部または凹部の形状、数または位置を互いに異ならせることに加えて、さらに各芯軸の操作部の硬度を互いに異ならせてあるため、所望とする筆記色を更に容易に選択して、使用に供することができる。
【００３３】
(３)  請求項３記載の発明によれば、前記(１)項または(２)項に記載した効果を奏するボールペンやシャープペンシルを得ることができる。
【００３４】
(４)  請求項４記載の発明によれば、複数のボールペンに亘る多くの筆記色の中から、所望する筆記色を、容易に選択して使用に供することができる。
【図面の簡単な説明】
【図１】  本発明の実施形態を示す右側面図である。
【図２】  図１におけるII−II線断面図である。
【図３】  図１に示す実施形態の平面図である。
【図４】  図１〜図３に示した実施形態のボールペンにおける３本の各芯軸に設けられた操作部を取り外して示した斜視図である。
【図５】  本発明の他の実施形態を示し、図４に対応する図である。
【図６】  同じく、本発明の他の実施形態を示し、図４に対応する図である。
【図７】  同じく、本発明の他の実施形態を示し、図４に対応する図である。
【図８】  同じく、本発明の他の実施形態を示し、図４に対応する図である。
【図９】  同じく、本発明の他の実施形態を示し、図４に対応する図である。
【図１０】  同じく、本発明の他の実施形態を示し、図４に対応する図である。
【図１１】  同じく、本発明の他の実施形態を示し、図４に対応する図である。
【図１２】  同じく、本発明の他の実施形態を示し、図４に対応する図である。
【符号の説明】
(１)ボールペン
(２)開口
(３)クリップ
(４)軸筒
(５)芯軸
(６)インク貯留部
(７)チップ
(８)操作部取付片
(９)操作部
(9a)第１の操作部
(9b)第２の操作部
(9c)第３の操作部
(10)ボール
(11)スライド孔
(12)裏面
(13)取付用突起
(14)嵌合孔
(15)表面
(16)(17)(18)突起
(19a)(19b)(19c)操作部
(20a)(20b)(20c)操作部
(21)(22)(23)(24)(25)(26)突起
(27)(28)識別子
(29)(31)湾曲部
(30)(32)ペン種識別突起
(33a)(33b)(33c)操作部
(34)(35)(36)突起
(37a)(37b)(37c)操作部
(38)(39)(40)突起
(41a)(41b)(41c)操作部
(42)(43)(44)突起
(45a)(45b)(45c)操作部
(46)(47)(48)突起
(49a)(49b)(49c)操作部
(50)(51)(52)突起
(53a)(53b)(53c)操作部
(54)(55)(56)突起
【図１】
0003939196.tif 000002
【図２】
0003939196.tif 000003
【図３】
0003939196.tif 000004
【図４】
0003939196.tif 000005
【図５】
0003939196.tif 000006
【図６】
0003939196.tif 000007
【図７】
0003939196.tif 000008
【図８】
0003939196.tif 000009
【図９】
0003939196.tif 000010
【図１０】
0003939196.tif 000011
【図１１】
0003939196.tif 000012
【図１２】
0003939196.tif 000013